(57)【要約】【課題】電子メールの文章作成の際、相手先に応じた付属語を候補に選び出す入力予測装置を提供する。【解決手段】文章の様式に応じた付属語の候補と付属語に関連する単語とを対応して記憶する記憶部と、電子メール通信機器と接続され、電子メール通信機器に電子メールの宛先が指定されると、指定された宛先および過去に送信された電子メールの文章の情報を含む送信履歴を電子メール通信機器から取得し、取得した送信履歴に含まれる電子メールの文章からその様式を判定し、電子メールの文章用に単語が電子メール通信機器に入力されると、入力された単語に関連する付属語の候補を、判定した様式に基づいて記憶部から選択して電子メール通信機器に送信する制御部と、を有する。【選択図】図１
2010257201.tif 000002
【特許請求の範囲】
【請求項１】
文章の様式に応じた付属語の候補と該付属語に関連する単語とを対応して記憶する記憶部と、
電子メール通信機器と接続され、該電子メール通信機器に電子メールの宛先が指定されると、指定された宛先および該宛先に過去に送信された電子メールの文章の情報を含む送信履歴を前記電子メール通信機器から取得し、取得した送信履歴に含まれる電子メールの文章からその様式を判定し、電子メールの文章用に単語が前記電子メール通信機器に入力されると、入力された単語に関連する付属語の候補を、判定した様式に基づいて前記記憶部から選択して前記電子メール通信機器に送信する制御部と、
を有する入力予測装置。
【請求項２】
前記送信履歴は電子メールの送信時刻の情報を含み、
前記制御部は、
前記送信履歴の送信時刻が最新の電子メールの文章の様式に基づいて前記付属語の候補を選択する、請求項１記載の入力予測装置。
【請求項３】
前記制御部は、
前記電子メールの文章の末尾の単語から該文章の様式が敬体であるか常体であるかを判定し、該文章の様式が敬体である場合、敬体の付属語の候補を前記記憶部から選択し、該文章の様式が常体である場合、常体の付属語の候補を前記記憶部から選択する、請求項１または２記載の入力予測装置。
【請求項４】
前記制御部は、
前記電子メールの文章が複数の文を含んでいると、各文について末尾の単語から該文の様式が敬体であるか、常体であるかを判定し、敬体の文の数の方が常体の文の数よりも大きい場合、敬体の付属語の候補を前記記憶部から選択し、敬体の文の数の方が常体の文の数よりも小さい場合、常体の付属語の候補を前記記憶部から選択する、請求項１または２記載の入力予測装置。
【請求項５】
前記記憶部に、前記付属語の候補に対応して該候補が敬体であるか否かを示すフラグが予め登録され、
前記制御部は、
前記電子メールの文章の様式が敬体であると判定すると、敬体であることを示すフラグの前記付属語の候補を選択して表示順位を先に設定し、敬体でないことを示すフラグの前記付属語の候補の表示順位を後に設定して前記電子メール通信機器に送信する、請求項１または２記載の入力予測装置。
【請求項６】
電子メールの宛先および該宛先に送信された電子メールの文章の情報を含む送信履歴を記憶し、文章の様式に応じた付属語の候補と該付属語に関連する単語とを対応して記憶する記憶部と、
電子メールの文章作成の際に文字を入力するための操作部と、
電子メールの宛先が指定されると、指定された宛先の前記送信履歴を前記記憶部から取得し、取得した送信履歴に含まれる電子メールの文章からその様式を判定し、前記操作部を介して単語が入力されると、入力された単語に関連する付属語の候補を、判定した様式に基づいて前記記憶部から選択して出力する制御部と、
前記制御部から出力された前記付属語の候補を表示する表示部と、
を有する携帯端末。
【請求項７】
前記送信履歴は電子メールの送信時刻の情報を含み、
前記制御部は、
前記送信履歴の送信時刻が最新の電子メールの文章の様式に基づいて前記付属語の候補を選択する、請求項６記載の携帯端末。
【請求項８】
前記制御部は、
前記電子メールの文章の末尾の単語から該文章の様式が敬体であるか常体であるかを判定し、該文章の様式が敬体である場合、敬体の付属語の候補を前記記憶部から選択し、該文章の様式が常体である場合、常体の付属語の候補を前記記憶部から選択する、請求項６または７記載の携帯端末。
【請求項９】
前記制御部は、
前記電子メールの文章が複数の文を含んでいると、各文について末尾の単語から該文の様式が敬体であるか、常体であるかを判定し、敬体の文の数の方が常体の文の数よりも大きい場合、敬体の付属語の候補を前記記憶部から選択し、敬体の文の数の方が常体の文の数よりも小さい場合、常体の付属語の候補を前記記憶部から選択する、請求項６または７記載の携帯端末。
【請求項１０】
前記記憶部に、前記付属語の候補に対応して該候補が敬体であるか否かを示すフラグが予め登録され、
前記制御部は、
前記電子メールの文章の様式が敬体であると判定すると、敬体であることを示すフラグの前記付属語の候補を選択して表示順位を先に設定し、敬体でないことを示すフラグの前記付属語の候補の表示順位を後に設定して前記表示部に表示させる、請求項６または７記載の携帯端末。
【請求項１１】
電子メール通信機能を備えた携帯端末による入力予測方法であって、
文章の様式に応じた付属語の候補と該付属語に関連する単語とを対応して記憶部に保存し、
電子メールの宛先および該宛先に送信された電子メールの文章の情報を含む送信履歴を前記記憶部に保存し、
電子メールの宛先が指定されると、指定された宛先の前記送信履歴を前記記憶部から取得し、
取得した送信履歴に含まれる電子メールの文章からその様式を判定し、
電子メールの文章用に単語が入力されると、入力された単語に関連する付属語の候補を、判定した様式に基づいて前記記憶部から選択して表示する、入力予測方法。
【請求項１２】
前記送信履歴は電子メールの送信時刻の情報を含み、
前記送信履歴の送信時刻が最新の電子メールの文章の様式に基づいて前記付属語の候補を選択する、請求項１１記載の入力予測方法。
【請求項１３】
前記電子メールの文章の末尾の単語から該文章の様式が敬体であるか常体であるかを判定し、該文章の様式が敬体である場合、敬体の付属語の候補を前記記憶部から選択し、該文章の様式が常体である場合、常体の付属語の候補を前記記憶部から選択する、請求項１１または１２記載の入力予測方法。
【請求項１４】
前記電子メールの文章が複数の文を含んでいると、各文について末尾の単語から該文の様式が敬体であるか、常体であるかを判定し、敬体の文の数の方が常体の文の数よりも大きい場合、敬体の付属語の候補を前記記憶部から選択し、敬体の文の数の方が常体の文の数よりも小さい場合、常体の付属語の候補を前記記憶部から選択する、請求項１１または１２記載の入力予測方法。
【請求項１５】
前記記憶部に、前記付属語の候補に対応して該候補が敬体であるか否かを示すフラグを登録し、
前記電子メールの文章の様式が敬体であると判定すると、敬体であることを示すフラグの前記付属語の候補を選択して表示順位を先に設定し、敬体でないことを示すフラグの前記付属語の候補の表示順位を後に設定して表示する、請求項１１または１２記載の入力予測方法。
【請求項１６】
電子メール通信機能を備えたコンピュータに実行させるためのプログラムであって、
文章の様式に応じた付属語の候補と該付属語に関連する単語とを対応して記憶部に保存し、
電子メールの宛先および該宛先に送信された電子メールの文章の情報を含む送信履歴を前記記憶部に保存し、
電子メールの宛先が指定されると、指定された宛先の前記送信履歴を前記記憶部から取得し、
取得した送信履歴に含まれる電子メールの文章からその様式を判定し、
電子メールの文章用に単語が入力されると、入力された単語に関連する付属語の候補を、判定した様式に基づいて前記記憶部から選択して表示する処理を前記コンピュータに実行させるためのプログラム。
【請求項１７】
前記送信履歴は電子メールの送信時刻の情報を含み、
前記送信履歴の送信時刻が最新の電子メールの文章の様式に基づいて前記付属語の候補を選択する、請求項１６記載のプログラム。
【請求項１８】
前記電子メールの文章の末尾の単語から該文章の様式が敬体であるか常体であるかを判定し、該文章の様式が敬体である場合、敬体の付属語の候補を前記記憶部から選択し、該文章の様式が常体である場合、常体の付属語の候補を前記記憶部から選択する、請求項１６または１７記載のプログラム。
【請求項１９】
前記電子メールの文章が複数の文を含んでいると、各文について末尾の単語から該文の様式が敬体であるか、常体であるかを判定し、敬体の文の数の方が常体の文の数よりも大きい場合、敬体の付属語の候補を前記記憶部から選択し、敬体の文の数の方が常体の文の数よりも小さい場合、常体の付属語の候補を前記記憶部から選択する、請求項１６または１７記載のプログラム。
【請求項２０】
前記記憶部に、前記付属語の候補に対応して該候補が敬体であるか否かを示すフラグを登録し、
前記電子メールの文章の様式が敬体であると判定すると、敬体であることを示すフラグの前記付属語の候補を選択して表示順位を先に設定し、敬体でないことを示すフラグの前記付属語の候補の表示順位を後に設定して表示する処理をさらに有する、請求項１６または１７記載のプログラム。
【発明の詳細な説明】
【技術分野】
【０００１】
本発明は、入力された文字からその文字に繋がる単語を予測する入力予測装置、携帯端末、入力予測方法、およびその方法をコンピュータに実行させるためのプログラムに関する。
【背景技術】
【０００２】
電子メール通信が可能な携帯電話機では、文字入力のための機能を備えている。このような携帯電話機では、文字入力方法として、「１」〜「０」のテンキーのそれぞれに、ひらがなの「あ」行から「わ」行のそれぞれを割り当て、押下した回数により、割り当てられている行の文字が変化していく方法を採用している。この方法では、ひらがなの「お」を入力するためには、「１」キーを５回押下する必要がある。そのため、入力文字数が多くなればなるほど、爆発的にキーの押下回数が増えてしまうという問題があった。
【０００３】
その押下回数を削減するために、入力途中のひらがなと前方一致する単語を予測し、予測した単語を選択肢として表示することが、上述の携帯電話機で行われるようになった。単語を予測する手段の一例が、特許文献１に開示されている。
【０００４】
単語を予測する手段には、入力済みの単語から、その単語に続く単語を予測する機能を有していることが多い。単語の予測方法の一例として、入力された単語に付与されている品詞情報にしたがってその後に続く単語を予測する方法が知られている。この予測方法を、以下では、「繋がり予測」と称する。
【０００５】
図８は繋がり予測の一例を説明するための図である。ユーザが携帯電話機を操作して電子メールの文章を作成する際、「くる」という単語を入力すると、図８（ａ）に示すように、「くる」と前方一致する単語の候補が表示画面に表示される。ユーザが「来る」を選択すると、図８（ｂ）に示すように、「来る」という単語に対する繋がり予測による候補が表示画面に表示される。
【先行技術文献】
【特許文献】
【０００６】
【特許文献１】特開２００７−２７２７３９号公報
【発明の概要】
【発明が解決しようとする課題】
【０００７】
上述の繋がり予測においては、単純に、単語に付与されている品詞情報にしたがって候補を決定しているため、作成される文章の様式によらず、予測の元になる単語が同じであれば、予測される候補も同じになってしまうという問題があった。
【０００８】
本発明は上述したような技術が有する問題点を解決するためになされたものであり、電子メールの文章作成の際、相手先に応じた付属語を候補に選び出す入力予測装置、携帯端末、入力予測方法、およびその方法をコンピュータに実行させるためのプログラムを提供することを目的とする。
【課題を解決するための手段】
【０００９】
上記目的を達成するための本発明の入力予測装置は、
文章の様式に応じた付属語の候補と該付属語に関連する単語とを対応して記憶する記憶部と、
電子メール通信機器と接続され、該電子メール通信機器に電子メールの宛先が指定されると、指定された宛先および該宛先に過去に送信された電子メールの文章の情報を含む送信履歴を前記電子メール通信機器から取得し、取得した送信履歴に含まれる電子メールの文章からその様式を判定し、電子メールの文章用に単語が前記電子メール通信機器に入力されると、入力された単語に関連する付属語の候補を、判定した様式に基づいて前記記憶部から選択して前記電子メール通信機器に送信する制御部と、
を有する構成である。
【００１０】
また、本発明の携帯端末は、
電子メールの宛先および該宛先に送信された電子メールの文章の情報を含む送信履歴を記憶し、文章の様式に応じた付属語の候補と該付属語に関連する単語とを対応して記憶する記憶部と、
電子メールの文章作成の際に文字を入力するための操作部と、
電子メールの宛先が指定されると、指定された宛先の前記送信履歴を前記記憶部から取得し、取得した送信履歴に含まれる電子メールの文章からその様式を判定し、前記操作部を介して単語が入力されると、入力された単語に関連する付属語の候補を、判定した様式に基づいて前記記憶部から選択して出力する制御部と、
前記制御部から出力された前記付属語の候補を表示する表示部と、
を有する構成である。
【００１１】
また、本発明の入力予測方法は、電子メール通信機能を備えた携帯端末による入力予測方法であって、
文章の様式に応じた付属語の候補と該付属語に関連する単語とを対応して記憶部に保存し、
電子メールの宛先および該宛先に送信された電子メールの文章の情報を含む送信履歴を前記記憶部に保存し、
電子メールの宛先が指定されると、指定された宛先の前記送信履歴を前記記憶部から取得し、
取得した送信履歴に含まれる電子メールの文章からその様式を判定し、
電子メールの文章用に単語が入力されると、入力された単語に関連する付属語の候補を、判定した様式に基づいて前記記憶部から選択して表示するものである。
【００１２】
さらに、本発明のプログラムは、電子メール通信機能を備えたコンピュータに実行させるためのプログラムであって、
文章の様式に応じた付属語の候補と該付属語に関連する単語とを対応して記憶部に保存し、
電子メールの宛先および該宛先に送信された電子メールの文章の情報を含む送信履歴を前記記憶部に保存し、
電子メールの宛先が指定されると、指定された宛先の前記送信履歴を前記記憶部から取得し、
取得した送信履歴に含まれる電子メールの文章からその様式を判定し、
電子メールの文章用に単語が入力されると、入力された単語に関連する付属語の候補を、判定した様式に基づいて前記記憶部から選択して表示する処理を前記コンピュータに実行させるものである。
【発明の効果】
【００１３】
本発明によれば、送信する電子メールがビジネス文書であるか、友人宛の文書であるかなど、文章の様式の違いに応じた付属語の候補が選択されるため、より効率的に文章を作成することができる。
【図面の簡単な説明】
【００１４】
【図１】第１の実施形態における入力予測装置の一構成例を示すブロック図である。
【図２】図１に示した入力予測装置による入力予測方法の手順を示すフローチャートである。
【図３】第２の実施形態における携帯端末の一構成例を示すブロック図である。
【図４】複数の文章から文の様式を判定する場合の動作手順を示すフローチャートである。
【図５】図４を参照して説明した優先モード設定後の入力予測方法の動作手順を示すフローチャートである。
【図６】第２の実施形態における繋がり予測候補の具体例を示す表である。
【図７】第２の実施形態の入力予測方法による表示画面の一例を示す図である。
【図８】繋がり予測の一例を説明するための図である。
【発明を実施するための形態】
【００１５】
（第１の実施形態）
本実施形態の入力予測装置の構成を説明する。図１は本実施形態の入力予測装置の一構成例を示すブロック図である。
【００１６】
図１に示すように、本実施形態の入力予測装置１０は電子メール通信機器２０と接続されている。電子メール通信機器２０は、ネットワーク（不図示）を介して他の端末（不図示）と電子メールを送受信する。電子メール通信機器２０とネットワークとの接続は、有線であってもよく、無線であってもよい。
【００１７】
以下では、本発明の入力予測方法に関連する、電子メールの処理については詳しく説明するが、電子メールの通常の処理については詳細な説明を省略する。
【００１８】
図１に示すように、入力予測装置１０は、予測する単語の候補を記憶する記憶部１１と、電子メール通信機器２０に入力される単語を予測する制御部１３とを有する。電子メール通信機器２０は、電子メールの通信履歴を保存する記憶部２１と、電子メール作成の際の入力文字を表示する表示部２５と、各部を制御する制御部２３と、文字を入力するための文字入力キーを含む操作部２７とを有する。
【００１９】
はじめに、図１に示す電子メール通信機器２０の構成について簡単に説明する。
【００２０】
記憶部２１に保存される通信履歴には、送信履歴および受信履歴が含まれている。本実施形態では、少なくとも送信履歴が通信履歴として保存されていればよい。送信履歴には、電子メールの宛先に対応して、過去に送信された電子メールの文章および送信時刻の情報が含まれる。電子メールの宛先は、ネットワーク上のアドレスである。また、記憶部２１には、電子メールのアドレスが記述された宛先リストが予め登録されている。
【００２１】
制御部２３は、プログラムにしたがって処理を実行するＣＰＵ（Central Processing Unit）（不図示）と、プログラムが格納されたメモリ（不図示）とを有する。制御部２３は、ユーザが電子メールを送信するために、操作部２７を介して電子メールの宛先を指定すると、宛先の情報を入力予測装置１０に通知する。そして、通知した宛先についての送信履歴の要求を入力予測装置１０から受けると、該当する送信履歴を入力予測装置１０に送信する。また、ユーザが電子メールの文章を作成するために、操作部２７を介して単語を入力すると、制御部２３は、入力された単語の情報を入力予測装置１０に通知する。さらに、制御部２３は、付属語の候補の情報を入力予測装置１０から受け取ると、付属語の候補を表示部２５に表示させる。
【００２２】
次に、入力予測装置１０の構成を説明する。記憶部１１は、文章の様式に応じた付属語の候補とその付属語に関連する単語とを対応して記憶している。文章の様式には、敬体や常体がある。一例として、文章の様式が敬体である場合、「でしょうか」および「ようです」などの付属語の候補が考えられ、関連する単語に「来る」という自立語がある。一方、関連する単語が同じ「来る」でも、文章の様式が常体であると、その付属語の候補は「かな」および「よね」などになる。
【００２３】
制御部１３は、プログラムにしたがって処理を実行するＣＰＵ（不図示）と、プログラムが格納されたメモリ（不図示）とを有する。制御部１３は、電子メール通信機器２０から電子メールの宛先の情報を受信すると、その宛先についての送信履歴を電子メール通信機器２０に要求する。そして、制御部１３は、電子メール通信機器２０から送信履歴を取得すると、メモリ（不図示）に一時的に保存する。そして、制御部１３は、取得した送信履歴に含まれる電子メールの文章からその様式を判定する。
【００２４】
具体例として、制御部１３は、電子メールに含まれる文章の句点や記号で１文を認識し、文の末尾でその文が敬体であるか、常体であるかを判定する。その判定の際、制御部１３は、記憶部１１に格納された、敬体と常体のそれぞれの場合の付属語の候補を参照すればよい。
【００２５】
また、制御部１３は、入力された単語の情報を電子メール通信機器２０から受信すると、その単語に関連する付属語の候補を、判定した様式に基づいて記憶部１１から選択する。そして、制御部１３は、選択した、付属語の候補を電子メール通信機器２０に送信する。
【００２６】
なお、送信履歴を制御部１３内のメモリ（不図示）に一時的に保存するとしたが、記憶部１１に保存してもよい。制御部１３は、保存した送信履歴に対応する宛先に電子メールが送信されると、保存した送信履歴を削除するようにしてもよく、保存する送信履歴がメモリ容量を超えたら、保存した時刻が最も古い送信履歴を削除してよい。
【００２７】
次に、図１に示した入力予測装置１０の動作を説明する。図２は本実施形態の入力予測装置による入力予測方法の手順を示すフローチャートである。
【００２８】
ユーザが電子メール通信機器２０を操作して、電子メールの宛先を指定すると、入力予測装置１０は、電子メール通信機器２０から電子メールの宛先の情報の通知を受け、指定された宛先の送信履歴を電子メール通信機器２０から取得する（ステップ１０１）。そして、入力予測装置１０は、取得した送信履歴に含まれる電子メールの文章からその様式を判定する（ステップ１０２）。続いて、ユーザが電子メールの文章を作成するために、電子メール通信機器２０を操作して単語を入力すると、入力予測装置１０は、電子メール通信機器２０から単語の情報を受信し、その単語に関連する付属語の候補を、判定した様式に基づいて記憶部１１から選択する（ステップ１０３）。その後、入力予測装置１０は、選択した、付属語の候補を電子メール通信機器２０に送信する。
【００２９】
ユーザが指定した宛先についての送信履歴に複数の電子メールが登録されている場合には、入力予測装置１０が文章の様式を判定する際の対象となる電子メールは、送信履歴の送信時刻が最新の電子メールであることが望ましい。電子メールの送り先となる人との人間関係について最近の状態を反映した文章の方が望ましいからである。
【００３０】
（第２の実施形態）
本実施形態は、第１の実施形態で説明した入力予測装置を携帯端末に適用した場合である。本実施形態の携帯端末は、第１の実施形態で説明した電子メール通信機器２０に第１の実施形態で説明した入力予測装置１０を組み込んだものに相当する。
【００３１】
本実施形態では、第１の実施形態で説明した以外の入力予測方法についても説明する。本実施形態においても、本発明の入力予測方法に関連する、電子メールの処理については詳しく説明するが、電子メールの通常の処理については詳細な説明を省略する。
【００３２】
本実施形態の携帯端末の構成を説明する。図３は本実施形態の携帯端末の一構成例を示すブロック図である。
【００３３】
図３に示すように、携帯端末３０は、通信履歴および候補となる単語を記憶する記憶部３１と、入力される単語を予測する制御部３３と、予測された候補を表示する表示部３７と、情報処理のためにデータを一時的に保存するためのＲＡＭ（Random Access Memory）３６と、文字入力キーを含む操作部３５とを有する。記憶部３１には、付属語の候補を含む単語データベースと、宛先リストとが予め登録され、通信履歴が記録される。付属語の候補、宛先リストおよび通信履歴については、第１の実施形態で説明したのと同様であるため、その詳細な説明を省略する。
【００３４】
記憶部３１に格納された単語データベースには、予測用単語データベースと繋がり予測用単語データベースとが含まれている。繋がり予測用単語データベースには、第１の実施形態で説明した、文章の様式に応じた付属語の候補が登録されている。予測用単語データベースには、付属語の候補を予測するための、付属語の候補に関連する単語が登録されている。これら２つのデータベースはリンクしており、予測用単語データベースで１つの単語が決まると、その単語の品詞情報にしたがって、その単語に繋がる付属語の候補が繋がり予測用単語データベース内で決まる。
【００３５】
制御部３３は、プログラムにしたがって処理を実行するＣＰＵ（不図示）と、プログラムが格納されたメモリ（不図示）とを有する。図３に示すように、制御部３３は、電子メール作成部３３１と、入力予測部３３２と、文章解析部３３３と、候補検索部３３４とを有する。ＣＰＵがプログラムを実行することで、電子メール作成部３３１、入力予測部３３２、文章解析部３３３および候補検索部３３４が携帯端末３０に仮想的に構成される。
【００３６】
電子メール作成部３３１は、操作部３５を介して電子メールの宛先が指定されると、記憶部３１の宛先リストからアドレスを読み出して電子メールフォーマットに設定する。また、電子メール作成部３３１は、操作部３５を介して電子メールフォーマットに単語が入力されると、入力された単語をＲＡＭ３６に記録するとともに表示部３７に表示させる。
【００３７】
入力予測部３３２は、電子メールの宛先が設定されると、その宛先についての送信履歴から電子メールの文章を読み出して文章解析部３３３に渡す。また、入力予測部３３２は、候補検索部３３４から検索結果を受け取ると、検索結果に含まれる、付属語の候補を表示部３７に表示させる。
【００３８】
文章解析部３３３は、入力予測部３３２から文章を受け取ると、その様式を判定し、判定結果を候補検索部３３４に渡す。候補検索部３３４は、電子メールフォーマットに単語が入力されると、文章解析部３３３から受け取った判定結果に基づいて、入力された単語に関連する付属語の候補を記憶部３１で検索し、検索結果を入力予測部３３２に渡す。
【００３９】
なお、電子メール作成部３３１、入力予測部３３２、文章解析部３３３および候補検索部３３４のそれぞれについて、その他の詳細な動作については、以下の動作手順で説明する。
【００４０】
次に、図３に示した携帯端末３０による、文章の様式判定の動作を説明する。解析対象となる電子メールの文章が１文の場合は、第１の実施形態において図２のステップ１０２で説明した方法と同様になるため、その説明を省略する。
【００４１】
図４は複数の文から文章の様式を判定する場合の動作手順を示すフローチャートである。ここで説明する手順は、解析対象となる電子メールの文章に複数の文が含まれている場合における、図２に示したステップ１０１から１０２までの処理に相当する。また、ここでは、送信履歴に含まれる複数の電子メールのうち送信時刻が最新の電子メールに対して解析を行うものとする。
【００４２】
携帯端末３０の入力予測部３３２は、電子メールの宛先が指定されると、その宛先を示すアドレスの情報を宛先リストから読み出す（ステップ２０１）。続いて、入力予測部３３２は、その宛先についての送信履歴の中から送信時刻が最新の電子メールを読み出す（ステップ２０２）。そして、文章解析部３３３は、入力予測部３３２が読み出した電子メールの文章の初めから句点または記号がないかを順に調べ、句点または記号があると、そこまでを１文として読み出す（ステップ２０３）。
【００４３】
文章解析部３３３は、読み出した１文の末尾を調べ、その文が敬体であるか、常体であるかを判定する（ステップ２０４）。ステップ２０４で、文章解析部３３３は、その文が敬体であると判定すると、文章様式が敬体であるとする指標となる優先カウンタに１をプラスし（ステップ２０６）、その文が常体であると判定すると、文章様式が敬体ではないとする指標となる非優先カウンタに１をプラスする（ステップ２０５）。
【００４４】
文章解析部３３３は、電子メールの最初の１文に対してステップ２０３からステップ２０５またはステップ２０６までの処理が終わると、次の文の末尾を句点または記号で特定し（ステップ２０３）、特定した文に対してステップ２０４の処理を実行し、ステップ２０５またはステップ２０６の処理を行う。同様にして、文章解析部３３３が解析対象の電子メールにおける最後の文までステップ２０３、ステップ２０４、およびステップ２０５またはステップ２０６の処理を行う。
【００４５】
文章解析部３３３は、電子メールの最後の文まで判定を行った後（ステップ２０７）、優先カウンタと非優先カウンタの値を比較する（ステップ２０８）。優先カウンタの値が非優先カウンタよりも大きい場合、文章解析部３３３は、対象となる電子メールの文章の様式が敬体であるとする優先モードをオンに設定する（ステップ２０９）。一方、ステップ２０８で優先カウンタの値が非優先カウンタの値以下である場合、文章解析部３３３は、対象となる電子メールの文章の様式が敬体ではないと判定する。この場合、優先モードはオフのままである。文章解析部３３３は、優先モードの情報をＲＡＭ３６に記録する。なお、ここでは、優先カウンタと非優先カウンタとが同じ値である場合、文章の様式が敬体ではないと判定したが、敬体としてもよい。また、敬体ではない様式を常体としてもよい。
【００４６】
次に、本実施形態の携帯端末３０による、入力予測方法の動作手順を説明する。ここで説明する手順は、図２に示したステップ１０３の処理に相当する。図５は、図４で説明した優先モード設定後の入力予測方法の動作手順を示すフローチャートである。
【００４７】
ユーザにより操作部３５を介して単語が電子メールフォーマットに入力されると（ステップ３０１）、候補検索部３３４は、入力された単語の「読み」に前方一致する単語の候補である予測候補を予測用単語データベースにアクセスして検索する（ステップ３０２）。続いて、候補検索部３３４は、検索結果の予測候補を表示部３７に表示させる（ステップ３０３）。予測候補のうち１つの単語がユーザにより選択されると（ステップ３０４）、候補検索部３３４は、その単語に付与されている品詞情報からその単語に続く繋がり予測候補の検索を繋がり予測用単語データベースにアクセスして行う（ステップ３０５）。ここで言う繋がり予測候補は、上述した、付属語の候補である。候補検索部３３４は、検索結果の繋がり予測候補をＲＡＭ３６に記録する（ステップ３０６）。
【００４８】
続いて、入力予測部３３２は、ＲＡＭ３６に優先モードがオンに設定されているか否かを調べる（ステップ３０７）。優先モードがオンに設定されている場合、入力予測部３３２は、繋がり予測候補のうち敬体の単語が先になるように候補を並び替え（ステップ３０８）、並び替えた候補を表示部３７に表示させる（ステップ３０９）。
【００４９】
一方、ステップ３０７でＲＡＭ３６に優先モードが設定されていない場合、入力予測部３３２は、検索により求めた繋がり予測候補をそのまま表示部３７に表示させる（ステップ３０９）。その後、ユーザが繋がり予測候補から１つを選択すると、処理が終了する。ユーザが繋がり予測候補のうちいずれも選択しなければ、ステップ３０１に戻る。
【００５０】
次に、図５で説明した、繋がり予測候補の並べ替えについて、具体例を説明する。図６は繋がり予測候補の具体例を示す表である。図６（ａ）は繋がり予測候補データベースに登録されたリストを示し、図６（ｂ）は繋がり予測候補を並べ替えた後のリストを示す。
【００５１】
図６（ａ）に示すように、それぞれの付属語６０１に対して、敬語としてよく使用される付属語に対応する敬体フラグ６０２には１が設定されている。敬体フラグ６０２に１が設定されていると、その付属語が敬体であることを示す。敬体フラグ６０２に何も設定されていないと、その付属語が敬体でないことを示す。なお、単語によっては敬体の場合と常体の場合の両方に属するものがあり、ここでは、両方に属するものにも敬体フラグ６０２に１が設定されている。
【００５２】
図５で説明したステップ３０８で、入力予測部３３２は、図６（ａ）に示すリストを参照する。続いて、リストのうち敬体フラグ６０２に１が設定された付属語が表示順位の上位になるように並べ、そのうしろに、敬体フラグ６０２に何も設定されていない付属語を並べて図６（ｂ）に示すリストを作成する。そして、入力予測部３３２は、並び替えを行った後のリストを表示部３７に表示させる。一方、ステップ３０７で優先モードが設定されていなければ、入力予測部３３２は、図６（ａ）に示すリストを表示部３７に表示させる。
【００５３】
図７は本実施形態の入力予測方法による表示画面の一例を示す図である。
【００５４】
ユーザが携帯端末３０を操作して電子メールの文章を作成する際、「くる」という単語を文章作成欄４１に入力すると、入力予測部３３２は、図７（ａ）に示すように、「くる」と前方一致する単語の候補を表示部３７の候補表示欄４３に表示させる。ユーザにより「来る」が選択されると、入力予測部３３２は、図６（ｂ）に示したリストを作成し、図７（ｂ）に示すように、作成したリストを表示部３７の候補表示欄４３に表示させる。ユーザにより選択された「来る」という単語に対して繋がり予測による候補が画面に表示される。
【００５５】
この方法によれば、ユーザは、過去に送った電子メールの作成の際に入力した単語を、同じ宛先の電子メール作成の際に入力すると、過去に送った電子メール作成時に表示された、繋がり予測による候補が候補表示欄の上位に表示される。
【００５６】
なお、本実施形態では、ＲＡＭ３６を用いているが、データをＲＡＭ３６の代わりに記憶部３１に保存してもよく、制御部３３内のメモリ（不図示）に保存してもよい。この場合、ＲＡＭ３６を設けなくてもよい。
【００５７】
特許文献１に開示された方法では、ユーザにより選択され、確定した単語の品詞情報にしたがって固定の付属語が繋がり予測候補として表示される。この場合、文章の様式によらず、どのような文章を作成していても、決まった付属語の候補が表示される。そのため、ビジネス文書の電子メール作成中においても、文章様式が常体の場合にしか使用しない付属語も表示されていた。
【００５８】
これに対して、上述した第１および第２のいずれの本実施形態においても、ユーザが入力した単語の品詞情報で決まる付属語を単純に候補とするのではなく、現在作成中の電子メールと同じ宛先で過去に送信したメール内容から文章の様式を判定し、判定した様式に基づいて繋がり予測候補を選択している。そのため、ビジネス文書の電子メールなど敬語を使った文章を作成するときに、友人宛の文書のように「だ」体や「である」体のような口語体でよく使用する付属語よりも、敬体に分類される付属語の候補が優先して表示される。送信する電子メールがビジネス文書であるか、友人宛の文書であるかなどの文章の様式の違いに応じた付属語の候補が選択されるため、より効率的に文章を作成することができる。
【００５９】
また、過去に送った電子メールの文章の様式が敬体である場合、その電子メールと同じ宛先に送信する電子メールの文章作成中に、敬体に分類される付属語の候補を先に表示し、敬体に分類されない付属語をその後に表示すれば、敬体に分類される付属語に比べて使用頻度は少ないが、敬体に分類されない付属語を使用するときにも、効率的に文章を作成することができる。
【００６０】
さらに、電子メールの宛先を指定するだけでその宛先の電子メールの文章の様式が判定されるため、文章を敬体にするか、常体にするかなど文章の様式をユーザが指定しなくても、文章の様式に合った付属語の候補が表示される。
【００６１】
なお、第２の実施形態で説明した携帯端末が無線通信による電話機能を備えていてもよい。また、第２の実施形態で説明した入力予測方法を第１の実施形態の入力予測装置に実行させてもよく、第１の実施形態で説明した入力予測方法を第２の実施形態の携帯端末に実行させてもよい。図５を参照して説明した並び替えを、第１の実施形態で行う場合、第１の実施形態の入力予測装置は、敬体であることを示すフラグの候補を選択して表示順位を先に設定し、敬体でないことを示すフラグの候補の表示順位を後に設定して電子メール通信機器に送信すればよい。
【００６２】
本発明の入力予測装置を、第２の実施形態で説明した携帯端末に限らず、電子メール通信機能を備えたテレビやプロジェクタのリモコンに適用することが可能である。
【符号の説明】
【００６３】
１０    入力予測装置
２０    電子メール通信機器
３０    携帯端末
１１、３１    記憶部
１３、３３    制御部
３５    操作部
３６    ＲＡＭ
３７    表示部
３３１    電子メール作成部
３３２    入力予測部
３３３    文章解析部
３３４    候補検索部
【図１】
2010257201.tif 000003
【図２】
2010257201.tif 000004
【図３】
2010257201.tif 000005
【図４】
2010257201.tif 000006
【図５】
2010257201.tif 000007
【図６】
2010257201.tif 000008
【図７】
2010257201.tif 000009
【図８】
2010257201.tif 000010